【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
ネットワークを介して１以上の外部装置と通信を行うカメラサーバであって、
撮像手段により撮像された画像の画像データを前記ネットワークを介して配信する配信手段と、
前記ネットワークを介して、前記外部装置から音声データを受信する受信手段と、
前記受信手段により受信した音声データに基づいて、音声を出力する音声出力手段と
を有することを特徴とするカメラサーバ。
【請求項２】
予め設定された条件に基づいて、前記外部装置による前記音声出力手段の利用を管理する音声出力管理手段を更に有し、
前記音声出力手段は、前記音声出力管理手段が利用を許可した外部装置から受信した音声データに基づいて音声を出力することを特徴とする請求項１に記載のカメラサーバ。
【請求項３】
前記音声出力管理手段は、前記外部装置の内、任意の時間において１つの外部装置による前記音声出力手段の利用を許可することを特徴とする請求項２に記載のカメラサーバ。
【請求項４】
前記音声出力管理手段は、予め設定された数の外部装置による前記音声出力手段の利用を許可し、第１の外部装置から新たに前記音声出力手段の利用の要求を受けた場合に、前記音声出力手段の利用を許可されている第２の外部装置の数が前記予め設定された数よりも少なければ、前記第１の外部装置による前記音声出力手段の利用を許可することを特徴とする請求項２または３に記載のカメラサーバ。
【請求項５】
前記音声出力管理手段は、予め設定された数の外部装置による前記音声出力手段の利用を許可し、第１の外部装置から新たに前記音声出力手段の利用の要求を受けた場合に、前記音声出力手段の利用を許可されている第２の外部装置の数が前記予め設定された数であれば、前記第２の外部装置の内、１つの外部装置による前記音声出力手段の利用の許可を取り消し、前記第１の外部装置に対して前記音声出力手段の利用を許可することを特徴とする請求項２または３に記載のカメラサーバ。
【請求項６】
前記音声出力管理手段は、予め設定された数の外部装置による前記音声出力手段の利用を許可し、第１の外部装置から新たに前記音声出力手段の利用の要求を受けた場合に、前記音声出力手段の利用を許可されている第２の外部装置の数が前記予め設定された数であれば、前記音声出力手段の利用を許可されてから所定時間経過した前記第２の外部装置のいずれかに対する当該利用の許可を取り消し、前記第１の外部装置に対して前記音声出力手段の利用を許可することを特徴とする請求項２または３に記載のカメラサーバ。
【請求項７】
前記音声出力管理手段は、予め設定された数の外部装置による前記音声出力手段の利用を許可すると共に、前記外部装置の格付けを管理し、前記外部装置から前記音声出力手段の利用の要求を受けた場合に、格付けの高い外部装置に対して優先的に前記音声出力手段の利用を許可することを特徴とする請求項２乃至６のいずれか１項に記載のカメラサーバ。
【請求項８】
前記受信手段は、前記ネットワークを介して複数の外部装置から並列に音声データを受信可能であって、
前記複数の外部装置から並列に受信した音声データをミキシングするミキシング手段を更に有し、
前記音声出力手段は、前記ミキシング手段によりミキシングされた音声データに基づいて音声を出力することを特徴とする請求項１または２に記載のカメラサーバ。
【請求項９】
予め設定された条件に基づいて、前記外部装置に対して、前記撮像手段を制御する制御権の付与を管理する制御権管理手段と、
前記撮像手段を制御する撮像制御手段とを更に有し、
前記撮像制御手段は、前記制御権を有する外部装置から送信される前記撮像手段を制御する指示に基づいて、前記撮像手段の制御を行うことを特徴とする請求項１に記載のカメラサーバ。
【請求項１０】
前記音声出力手段は、前記制御権を有する外部装置から受信した音声データに基づいて音声を出力することを特徴とする請求項９に記載のカメラサーバ。
【請求項１１】
ネットワークを介して撮像手段を有するカメラサーバと通信可能な情報処理装置であって、
音声入力手段と、
前記音声入力手段から入力された音声データを前記ネットワークを介して前記カメラサーバに送信する送信手段と
を有することを特徴とする情報処理装置。
【請求項１２】
前記カメラサーバに対して、音声データを占有的に送信する権利を要求する要求手段を更に有し、
前記カメラサーバから前記権利を与えられた場合に、前記送信手段は、前記音声入力手段から入力された音声データを前記ネットワークを介して送信することを特徴とする請求項１１に記載の情報処理装置。
【請求項１３】
前記カメラサーバから送信された音声データを解析する解析手段を更に有し、
前記解析手段により異常な音声データが検出された場合に、表示装置に警告表示を行うことを特徴とする請求項１１または１２に記載の情報処理装置。
【請求項１４】
ネットワークを介して通信を行う情報処理装置とカメラサーバとを含むネットワークカメラシステムであって、
前記カメラサーバは、
撮像手段により撮像された画像の画像データを前記ネットワークを介して配信する配信手段と、
前記ネットワークを介して、前記情報処理装置から音声データを受信する受信手段と、
前記受信手段により受信した音声データに基づいて、音声を出力する音声出力手段とを有し、
前記情報処理装置は、
前記カメラサーバから配信される画像データを受信する受信手段と、
前記受信手段により受信した画像データに基づいて画像を表示する表示装置と、
音声入力手段と、
前記カメラサーバに対して、音声データを占有的に送信する権利を要求する要求手段と、
前記カメラサーバから前記権利を与えられた場合に、前記音声入力手段から入力された音声を前記ネットワークを介して前記カメラサーバに送信する送信手段とを有することを特徴とするネットワークカメラシステム。
【請求項１５】
コンピュータを、請求項１乃至１０のいずれか１項に記載のカメラサーバの各手段として機能させることを特徴とするプログラム。
【請求項１６】
コンピュータを、請求項１１乃至１３のいずれか１項に記載の情報処理装置の各手段として機能させることを特徴とするプログラム。
【請求項１７】
請求項１５又は１６に記載のプログラムを記憶したことを特徴とするコンピュータが読み取り可能な記憶媒体。
【手続補正２】
【補正対象書類名】明細書
【補正対象項目名】００１０
【補正方法】変更
【補正の内容】
【００１０】
上記目的を達成するために、ネットワークを介して１以上の外部装置と通信を行う本発明のカメラサーバは、撮像手段により撮像された画像の画像データを前記ネットワークを介して配信する配信手段と、前記ネットワークを介して、前記外部装置から音声データを受信する受信手段と、前記受信手段により受信した音声データに基づいて、音声を出力する音声出力手段とを有する。
【手続補正３】
【補正対象書類名】明細書
【補正対象項目名】００１１
【補正方法】変更
【補正の内容】
【００１１】
また、ネットワークを介して撮像手段を有するカメラサーバと通信可能な本発明の情報処理装置は、音声入力手段と、前記音声入力手段から入力された音声データを前記ネットワークを介して前記カメラサーバに送信する送信手段とを有する。
【手続補正４】
【補正対象書類名】明細書
【補正対象項目名】００１２
【補正方法】変更
【補正の内容】
【００１２】
ネットワークを介して通信を行う情報処理装置とカメラサーバとを含む本発明のネットワークカメラシステムにおいて、前記カメラサーバは、撮像手段により撮像された画像の画像データを前記ネットワークを介して配信する配信手段と、前記ネットワークを介して、前記情報処理装置から音声データを受信する受信手段と、前記受信手段により受信した音声データに基づいて、音声を出力する音声出力手段とを有し、前記情報処理装置は、前記カメラサーバから配信される画像データを受信する受信手段と、前記受信手段により受信した画像データに基づいて画像を表示する表示装置と、音声入力手段と、前記カメラサーバに対して、音声データを占有的に送信する権利を要求する要求手段と、前記カメラサーバから前記権利を与えられた場合に、前記音声入力手段から入力された音声を前記ネットワークを介して前記カメラサーバに送信する送信手段とを有する。